(57)【要約】【目的】ワイングラスを立てた状態で保持することと、逆さにした状態保持することを両方可能にしたワイングラスホルダーを提供することを目的とする。【構成】垂直に設けたワイングラスホルダー本体にワイングラスの脚部が通過する程度の幅を有するスリットを設けたワイングラス保持部材を、スリットの開口部が高くなるように斜めに設け、ワイングラスを正立または倒立状態で保持することを可能にした。【選択図】図３
2004223230.tif 000002
【特許請求の範囲】
【請求項１】
垂直に設けたワイングラスホルダー本体に、ワイングラスの脚部が通過する程度の幅を有するスリットを設けたワイングラス保持部材を、スリットの開口部が高くなるように斜めに設け、ワイングラスを正立または倒立状態で保持することを可能にしたことを特徴とするワイングラスホルダー。
【請求項２】
垂直に設けたワイングラスホルダー本体に、ワイングラスの脚部が通過する程度の幅を有するスリットを設けたワイングラス保持部材をスリットの開口部が高くなるように斜めに設け、なおかつ少なくとも２つのワイングラス保持部材を所望の間隔をもって平行に設け、ワイングラスを正立状態で保持することと倒立状態で保持することを同時に可能にしたことを特徴とするワイングラスホルダー。
【請求項３】
ワイングラスホルダー本体に対し、ワイングラス保持部材を任意の位置に固定できるようにしたことを特徴とする請求項１乃至２いずれかに記載のワイングラスホルダー。
【請求項４】
ワイングラスの脚部が通過する程度の幅を有するスリットからなるワイングラス保持部を所望角度に折り曲げた２つの面上に配したワイングラス保持部材を、その屈曲点を回動軸として回動可能にしてワイングラス本体に設け、ワイングラスホルダー本体を天地を逆転させることによって、上記ワイングラス保持部材が回動することでワイングラスを正立または倒立状態で保持することを可能にしたことを特徴とするワイングラスホルダー。
【請求項５】
ワイングラスの脚部が通過する程度の幅を有するスリットを設けたワイングラス脚部押さえ部材を、スリットが開口する辺をワイングラス保持部材とは逆方向にワイングラスホルダー本体に係止させることによって、ワイングラスの振れを抑えることができることを特徴とする請求項１乃至３いずれかに記載のワイングラスホルダー。
【発明の詳細な説明】
【０００１】
【発明に属する技術分野】
この発明は、ワイングラスを立てた状態で保持することと、逆さにした状態で保持することを両方可能にしたことにより、ワイングラスの片付け時の運搬、テーブルへの準備時の運搬とセッティング、洗浄後の水切り、自然乾燥後の収納を一台で可能にしたことを特徴とするワイングラスホルダーに関するものである。
【０００２】
【従来の技術】
従来、ワイングラスを片づける際、ワイングラスに液体が残っていたりするため、立てた状態にして運ばなければならず、その手段として両手を使い、それぞれの手の指の間にワイングラスの脚部を通して持つ方法や、トレーの上にワイングラスを立てた状態でのせて運ぶ方法、さらに、ボックス型の入れ物に入れて運ぶ方法などがとられていた。
【０００３】
そして、ワイングラスを洗浄した直後に水切りをする際、食器用水切り容器に伏せたり、ペーパーなどを敷いた上に伏せたりする方法や、水平にかつ平行にした２本の棒材にスタンドを設けた従来型のワイングラスホルダーを使用する方法をとっていた。
【０００４】
さらに、ワイングラスを逆さにした状態で保持する従来のワイングラスホルダーとしては水平にかつ平行にした２本の棒材にスタンドを設けたものがある。また、食器棚棚下や家具などに設置されたワイングラスホルダーがある。
【０００５】
一方、ワイングラスを準備するために運ぶ際には、ワイングラスを逆さにしてその脚部を手の指の間に通して運ぶ方法や、トレーの上にワイングラスを立てた状態でのせて運ぶ方法、さらに、ボックス型の入れ物に入れて運ぶ方法などがとられていた。
【０００６】
そして、ワイングラスをテーブル上にセッティングする際は、ワイングラスを立てて置くか、伏せておく方法をとっていた。また立食パーティーなどにおいて多数個のワイングラスをテーブル上にセッティングする際も、ワイングラスを立てて並べて置くか、伏せて並べて置く方法をとっていた。
【０００７】
さらに、立食パーティーなどにおいて、ワインなどがあらかじめ注いであるワイングラスをそのまま渡すサービスをとる際、ワイングラスをトレーにのせてサービスする方法をとっていた。
【０００８】
【発明が解決しようとする課題】
しかしながら、従来の方法によっては以下のような問題があった。
【０００９】
液体が多少残っている多数個のワイングラスを片づける際、両手で指の間にワイングラスの脚部を通して運ぶ方法をとった場合、安全性を考えると多くても両手で４個ほどしか運ぶことができず、一度に多くのワイングラスを運ぶことができない。よってこの方法では時間がかかる。また、ボックス型の入れ物を使用する場合、ワイングラス上部を持って入れなければならず、この方法はワイングラスの内部に手の油汚れが付着するのでできれば避けたい。またサービスするうえでスマートではない。
【００１０】
またトレーの上にワイングラスをのせて運ぶ方法は、咄嗟の衝撃などに対し、不安定なためぐらついたり、落下したりする危険性があるので慎重に運ばなければならない。また、この方法は片手でしかトレーを持つことができないので一度に多くのワイングラスを運ぶことができない。よってこの方法も時間がかかりかつ不安定な方法である。
【００１１】
そして、ワイングラスを洗って水を切る際、食器用の水切り容器に伏せたりペーパーなどを敷いたところに伏せたりする方法は、ワイングラスの口をつける縁部が水切り容器やペーパーに接触するので衛生上避けたい。またワイングラス内部に水切り容器やペーパーのにおいが充満する可能性があるので、ワインの香りを楽しむということに適さない。
【００１２】
さらに、ワイングラスを逆さにした状態で保持する従来のスタンド型ワイングラスホルダーはワイングラス保持部材が固定されているため様々な高さや幅のワイングラスに対応することはできない。またワイングラスを保持したまま持ち運ぶ際ぐらつきが生じる。また、食器棚や家具などに設置するワイングラスホルダーを利用する場合ワイングラスの洗浄直後は水が滴るため、すぐにはワイングラスをかけられず、水受け上などで一旦水を切った後にかけなければいけないので水切りの役目としては適さない。
【００１３】
一方、ワイングラスをテーブル上などへ準備するために運ぶ際、手の指の間に逆さにしたワイングラスの脚部を通して持ち運ぶ方法は、安全性を考えると一度に多数個のワイングラスを持ち運ぶことができない。また、トレー上にワイングラスをのせて持ち運ぶ方法は非常に不安定な運び方になるため、慎重に運ばなければならない。また、運んだワイングラスはテーブル上へ並べる作業をしなくてはならい。これは時間がかかり、かつ慎重な作業になる。また、水平にかつ平行にした２本の棒材で保持する従来のスタンド型ワイングラスホルダーを使用する場合ワイングラスは保持部材に２点で支持されているため不安定な方法となる。
【００１４】
そして、立食パーティーなどにおいて多数個のワイングラスをテーブル上にセッティングする際、ワイングラスを立てて置くことは長時間になる場合ワイングラス内部にほこりが入ってしまう。また、テーブルクロスに伏せておくことはワイングラスの口をつける縁の部分がテーブルクロスに接触するので衛生上さけたい。またテーブルクロスのにおいがワイングラス内部に充満する可能性があるのでワインの香りを楽しむということに適さない。
【００１５】
さらに、立食パーティーなどにおいてワインなどがあらかじめ注いであるワイングラスをそのまま運んでサービスする際、トレーにワイングラスをのせて運ぶ方法は非常に不安定なため慎重に運ばなければならない。
【００１６】
そこでこの発明は、ワイングラスの片付けの際、ワイングラスをその脚部を持ってワイングラスホルダー本体に立てた状態にして安定してかけられ、多数個のワイングラスを同時に持ち運ぶことができることを可能にし、さらに従来のスタンド型ワイングラスのようにワイングラスを逆さにした状態でかけることも可能にし、そればかりかワイングラス保持部材をワイングラスホルダー本体へ所望の高さにかえて設置できるようにすることで、様々な高さのワイングラスを保持することができ、またさらにワイングラス保持部材をそのスリット間の幅を所望の幅の部材にかえることで様々な幅のワイングラスを保持することができ、そしてさらにワイングラス脚部押さえ部材を備えることでワイングラスのぐらつきを抑え、より安全により短時間にワイングラスを運搬することができるワイングラスホルダーを提供することを目的とする。
【００１７】
また、この発明は、多数個のワイングラスの片付け時の運搬や準備時の運搬、テーブル上へのセッティング、洗浄後の水切り、そして自然乾燥後の収納にも役立つワイングラスホルダーを提供することを目的とする。
【００１８】
【課題を解決するための手段】
すなわち、この発明のワイングラスホルダーは、垂直に設けたワイングラスホルダー本体に、ワイングラスの脚部が通過する程度の幅を有するスリットを設けたワイングラス保持部材を、スリットの開口部が高くなるように斜めに設け、ワイングラスを正立または倒立状態で保持することを可能にしたことを特徴とするものである。
【００１９】
また、この発明のワイングラスホルダーは、垂直に設けたワイングラスホルダー本体に、ワイングラスの脚部が通過する程度の幅を有するスリットを設けたワイングラス保持部材を、スリットの開口部が高くなるように斜めに設け、なおかつ少なくとも２つのワイングラス保持部材を所望の間隔をもって平行に設け、ワイングラスを正立状態で保持することと倒立状態で保持することを同時に可能にしたことを特徴とするものである。
【００２０】
さらにこの発明のワイングラスホルダーはそのホルダー本体に対しワイングラス保持部材を任意の位置に固定できるようにしたことを特徴とするものである。
【００２１】
さらにまたこの発明のワイングラスホルダーはワイングラスの脚部が通過する程度の幅を有するスリットからなるワイングラス保持部を所望角度に折り曲げた２つの面上に配したワイングラス保持部利を、その屈曲点を回動軸として回動可能にしてワイングラス本体に設け、ワイングラスホルダー本体を天地を逆転させることによって、上記ワイングラス保持部材が回動することでワイングラスを正立または倒立状態で保持することを可能にしたことを特徴とするものである。
【００２２】
そしてまたこの発明のワイングラスホルダーはワイングラスの脚部が通過する程度の幅を有するスリットを設けたワイングラス脚部押さえ部材を、スリットが開口する辺をワイングラス保持部材とは逆方向にワイングラスホルダー本体に係止させることによってワイングラスの振れを抑えることができることを特徴とするものである。
【００２３】
【発明の実施の形態】
以下、この発明のワイングラスホルダーの実施の形態について図面に基づき説明する。
【００２４】
図１及び図２は、この発明のワイングラスホルダーの第１の実施例を示す全体図である。この実施例では片側で５個、両側で１０個のワイングラスを保持できるワイングラスホルダーを示す。垂直に設けたワイングラスホルダー本体（１）の両側に、側板（２）を取り付け、その側板にワイングラス保持部材（７）をワイングラスが正立状態でかけられる位置と倒立状態でかけられる位置に斜めに係止できるようにしている。
【００２５】
垂直に設けたワイングラスホルダー本体（１）上部中央には持ち運びができるように把手用の穴（１１）が設けている。その本体（１）の両側に取り付けた側板（２）には開口部が上になるように斜めの切り込みを上部（４）と下部（３）に設けている。ワイングラス保持部材（図１−ロ）は側板へ差し込むための切り込み（６）を両側へ設け、それとは反対の辺にワイングラスの脚部が通る程度の幅のスリット（５）を数個設けている。またこの場合ワイングラスの脚部を通すスリット（５）同志の距離は使用するワイングラスが接触しない程度のものにする。側板の切り込み（３）、（４）の位置はワイングラス保持部材を差し込み、ワイングラスを挿入したときにワイングラスが底面に接触しない程度の高さに設定する。ワイングラス保持部材（７）を側板（２）の下部切り込み（３）へ挿入し図１−（イ）のようにワイングラスを正立状態で保持するワイングラスホルダーを完成させることができる。ここで保持されるワイングラスは、斜めに設けたワイングラス保持部材のスリット（５）とワイングラスホルダー本体（１）にワイングラスの液体受け部（８）と脚部（９）が接触することで安定して保持される。またワイングラス保持部材（７）を側板（２）の上部切り込み（４）に差し込むことで図２のようにワイングラスを倒立状態で保持するワイングラスホルダーを完成させることができる。ここで保持されるワイングラスは、斜めに設けた保持部材のスリット（５）にワイングラスの脚部（９）と台座部（１０）が接触し、３点で支持することで安定して保持される。またワイングラス保持部材の本体への係止方法はここで示す差し込み式に限定されるものではない。
【００２６】
図３はこの発明のワイングラスホルダーの第２の実施例を示す図である。第１の実施例においてワイングラス保持部材を２枚、本体に斜めにかつ平行に固定したのが本実施例である。垂直に設けたワイングラスホルダー本体（１）にワイングラスの脚部（９）が通過する程度の幅を有するスリット（５）を設けたワイングラス保持部材（１２）を２つ平行にかつスリットの開口部が高くなるように斜めに設けている。これによりワイングラスを立てた状態で保持することと逆さにした状態で保持することを同時に可能にする。ワイングラスホルダー本体上部中央には把手用の空洞（１１）を設けワイングラスの運搬も可能にする。またワイングラスホルダー本体に高さをもたせ、ワイングラス保持部材を数段、同間隔をもって付け加えることで、より多数個のワイングラスの保持、運搬を可能にすることもできる。
【００２７】
図４はこの発明のワイングラスホルダーの第３の実施例を示す図である。第１の実施例においてワイングラス保持部材の位置を任意の高さに変更できるようにしたのが本実施例である。垂直に設けたワイングラスホルダー本体（１）の両側に取り付けた側板（２）の内側にワイングラス保持部材（１２）が斜めに係止できるようなスリット（１３）を多数個設けてあり、ワイングラス保持部材（１２）を使用するワイングラスに合わせてスリット（１３）に差し替えることができる。よって様々な高さのワイングラスを立てた状態または逆さにした状態で保持することができる。またワイングラス保持部材（１２）のスリット間の距離をかえたものを備えることで様々な幅のワイングラスを保持することができる。またワイングラス本体（１）の中央上部には把手用の空洞（１１）を設け、ワイングラスの運搬も可能にする。また、ワイングラス保持部材のワイングラスホルダー本体への係止方法は、ここで示す係止方法に限定されるものではない。
【００２８】
図５はこの発明のワイングラスホルダーの第４の実施例を示す図である。２枚のワイングラス保持部材（１２）のスリット（５）を有する辺の反対側の辺同志を断面がくの字になるように取り付け、その屈曲点（１４）を回動可能にしてワイングラスホルダー本体（１）に設け図５の全体図（イ）とその断面図（ロ）、そして図５の全体図（ハ）とその断面図（ニ）の様にワイングラスホルダー本体（１）を天地を逆転させることによってワイングラス保持部材が回動することによりワイングラスを立てた状態または逆さにした状態で保持することができる。これによりワイングラス保持部材の入替えが不要となる。ここでのワイングラス保持部材は板状または、ワイヤー状で疑似的平面を構成するものでもよい。またワイングラスホルダー本体（１）上部と下部中央には把手用の空洞（１１）を設け、ワイングラスの運搬も可能にする。
【００２９】
図６は、この発明のワイングラスホルダーの第５の実施例を示す図である。第３の実施例においてワイングラス脚部押さえ部材（１５）を備えたのが本実施例である。ワイングラスの脚部（９）が通過できる程度の幅を有するスリット（５）を設けたワイングラス脚部押さえ部材（１５）を、図５のワイングラスホルダーの側板（２）の内側に設けたスリット（１３）にスリットの開口する側をワイングラス保持部材（１２）とは逆に差し込み、係止させることでワイングラスの振れを抑えることを可能にした。これにより、ワイングラスの運搬はより安全により短時間に行うことが可能になる。
【００３０】
図７は、この発明のワイングラスホルダーの第６の実施例を示す図である。第２の実施例においてワイングラス保持部材を折り畳み可能にしたのが本実施例である。ワイングラス保持部材（１２）の長辺方向の１辺（１６）を回動軸にして回動可能にしてワイングラスホルダー本体（１）に設けることでワイングラス保持部材（１２）の不要な方を折り畳むことができる。また、所望角度に係止できるように側板（２）にストッパー（１７）を設けている。これによりワイングラス保持部材（１２）の入替えが不要になる。
【００３１】
図８は、この発明のワイングラスホルダーの第７の実施例を示す図である。第１、第３、第５の実施例のワイングラス保持部材を図８（イ）の様にスリットの間隔を使用するワイングラスの幅に合わせたものにしたり、図８（ロ）の様にスリットの間隔を細かくしたものを備えることで様々な幅のワイングラスに対応できるワイングラスホルダーにすることができる。
【００３２】
【発明の効果】
以上のように構成したワイングラスホルダーによれば、ワイングラスを片づける際に、多数個のワイングラスをその脚部を持ってワイングラス本体に立てた状態にして安定してかけられ、なおかつ持ち運びもできるので、ワイングラスの安全でかつ短時間での片付けを可能にする。
【００３３】
さらにワイングラス保持部材をワイングラスホルダー本体へ所望の高さに設置できるようにすることで、様々な高さのワイングラスを立てた状態で保持することができる。
【００３４】
又さらに、ワイングラス保持部材をそのスリット間の幅を所望の幅のものにかえることで様々な幅のワイングラスを立てた状態で保持することができる。
【００３５】
そればかりか、従来のスタンド型ワイングラスホルダーのようにワイングラスを逆さにした状態で保持することもできるので、多数個のワイングラスをテーブル上へ一度に運搬することができ、またそのままテーブル上へ置くことでセッティングを終了することができるので、テーブル上へ並べる作業を省くことができる。よってワイングラスの準備を短時間でかつ安定的に行うことができる。また多数個のワイングラスの洗浄後の水切りにも役立ち、自然乾燥後の収納にも役立つワイングラスホルダーである。さらにまた様々な高さや幅のワイングラスを逆さにした状態で保持することもできる。
【００３６】
また、ワイングラスの振れを抑えるワイングラス脚部押さえ部材を備えることで、より安全に、より短時間でのワイングラスの運搬を可能にする。
【図面の簡単な説明】
【図１】この発明の第１の実施例を示す全体図である。（イ）はワイングラスを立てた状態にして保持している様子を示している。（ロ）は差し込み式のワイングラス保持部材である。
【図２】この発明の第１の実施例を示す全体図であり、ワイングラスを逆さにした状態にして保持している様子を示している。
【図３】この発明の第２の実施例を示す全体図である。
【図４】この発明の第３の実施例を示す全体図である。
【図５】この発明の第４の実施例を示す全体図である。（イ）はワイングラスを逆さにした状態で保持するための置き方を示し、（ロ）はその断面図である。（ハ）はワイングラスを立てた状態にして保持するための置き方を示し、（ニ）はその断面図である。
【図６】この発明の第５の実施例を示す全体図である。
【図７】この発明の第６の実施例を示す全体図である。
【図８】この発明の第７の実施例を示す全体図である。（イ）はスリットの間隔を使用するワイングラスの幅に合わせたワイングラス保持部材の例を示し、（ロ）はワイングラス保持部材のスリットの間隔を細かくし、ワイングラスを挿入するときに適正な位置を選べるワイングラス保持部材である。
【符号の説明】
１  ワイングラスホルダー本体
２  側板
３  側板下部切り込み
４  側板上部切り込み
５  ワイングラス脚部挿入用スリット
６  側板挿入用切り込み
７  ワイングラス保持部材
８  ワイングラス液体受け部
９  ワイングラス脚部
１０  ワイングラス台座部
１１  把手用空洞
１２  ワイングラス保持部材
１３  ワイングラス保持部材挿入用スリット
１４  屈曲点
１５  ワイングラス脚部押さえ部材
１６  ワイングラス保持部材の長辺方向の１辺
１７  ストッパー
【図１】
2004223230.tif 000003
【図２】
2004223230.tif 000004
【図３】
2004223230.tif 000005
【図４】
2004223230.tif 000006
【図５】
2004223230.tif 000007
【図６】
2004223230.tif 000008
【図７】
2004223230.tif 000009
【図８】
2004223230.tif 000010